(57)【要約】      （修正有）【課題】濡れた面を内部に収納できる長傘であって、親骨を長く設計した場合であっても全長が一定の長さに保持され、外径を大きくせず細身のまま手軽に持ち運べる折り畳み式長傘を提供すること。【解決手段】傘本体１と、傘本体１を支持するメインシャフト２とを備え、傘本体１は、傘布３と、その傘布３の内面を支持する複数の親骨４と、親骨４の一端部がヒンジ結合される第１ロクロ６と、親骨４に連結された受骨８の一端部がヒンジ結合される第２ロクロ７とを有し、第２ロクロ７はメインシャフト２の軸方向に摺動可能であり、各親骨４は、傘布３の外面が重なる方向に、ヒンジ９を介して２つ折りに構成されている。【選択図】図１
2017217162.tif 000002
【特許請求の範囲】
【請求項１】
傘本体と、その傘本体を支持するメインシャフトとを備え、
前記傘本体は、傘布と、その傘布の内面を支持する複数の親骨と、親骨の一端部がヒンジ結合される第１ロクロと、前記親骨に連結された受骨の一端部がヒンジ結合される第２ロクロとを有し、
前記第２ロクロは前記メインシャフトの軸方向に摺動可能であり、
前記各親骨は、前記傘布の外面が重なる方向に、ヒンジを介して２つ折りに構成されていることを特徴とする、折り畳み式長傘。
【請求項２】
前記メインシャフトには、メインシャフトの軸方向に摺動可能なスライドシャフトが設けられ、前記第１ロクロは前記スライドシャフトに固定され、前記第２ロクロは前記スライドシャフトに沿って摺動可能に設けられていることを特徴とする、請求項１に記載の折り畳み式長傘。
【請求項３】
前記スライドシャフトに、前記メインシャフトに対する位置決め手段が、スライドシャフトの軸方向に間隔を置いて複数設けられていることを特徴とする、請求項２に記載の折り畳み式長傘。
【請求項４】
前記位置決め手段は、前記メインシャフトに設けられたおねじと、前記スライドシャフトに設けられためねじとを有していることを特徴とする、請求項３に記載の折り畳み式長傘。
【請求項５】
前記メインシャフトと前記スライドシャフトとが、メインシャフトの軸回りに相対回転可能に構成されていることを特徴とする、請求項２〜４の何れかに記載の折り畳み式長傘。
【請求項６】
前記傘布の内面にベルトが取り付けられていることを特徴とする、請求項１に記載の折り畳み式長傘。
【発明の詳細な説明】
【技術分野】
【０００１】
本発明は、濡れた面を内部に収納できる折り畳み式長傘に関する。
【背景技術】
【０００２】
一般的に、傘は雨に濡れた面を外側にして閉じるように構成されている。この構造により、満員電車など人が狭い場所に大勢集まる屋内で濡れた雨傘を持ち込むと、他人の服や荷物を不用意に濡らしてしまい、迷惑を及ぼすことが往々にしてあった。また、デパートやスーパーなどに雨傘を持ち込む際は、床を濡らさないように、雨傘にかぶせるビニール袋を用意する必要がある。このような問題を解決するために、濡れた面を内側にして閉じることができる、逆閉じ傘に関する先行技術(特許文献１)が提案されている。
【０００３】
特許文献１によれば、受骨の取り付け部のみを有した親骨において、受骨の取付け部位から上ロクロまでの距離を、受骨の長さよりも短くすることにより、下ロクロの石突方向への操作で、防水シート(傘布)が中棒の先端に向けて閉じるように構成されている。
【先行技術文献】
【特許文献】
【０００４】
【特許文献１】特許第４７６６２４６
【発明の概要】
【発明が解決しようとする課題】
【０００５】
しかしながら、特許文献１に記載の傘は、親骨がヒンジを有していないため、傘を閉じた際の親骨の長さは、傘を開いた際の親骨の長さと等しい。そのため、親骨を長く設計すると、閉じた際の傘の全長が長くなるという問題があった。また、屋内での持ち運びの際は、外装ケースに収納することで外径が大きくなりかさばるため不便となる。
【０００６】
本発明は、かかる実情に鑑み、濡れた面を内部に収納できる長傘であって、親骨を長く設計した場合であっても全長が一定の長さに保持され、外径を大きくせず細身のまま手軽に持ち運べる折り畳み式長傘を提供することが課題である。
【課題を解決するための手段】
【０００７】
前記課題を解決するために、本発明に係る折り畳み式長傘は、傘本体と、その傘本体を支持するメインシャフトとを備え、
前記傘本体は、傘布と、その傘布の内面を支持する複数の親骨と、親骨の一端部がヒンジ結合される第１ロクロと、前記親骨に連結された受骨の一端部がヒンジ結合される第２ロクロとを有し、
前記第２ロクロは前記メインシャフトの軸方向に摺動可能であり、
前記各親骨は、前記傘布の外面が重なる方向に、ヒンジを介して２つ折りに構成されていることを特徴とする。
【０００８】
本発明によれば、メインシャフトに沿って摺動可能な第２ロクロを設け、各親骨にヒンジを設けることにより、傘布の外面が重なる方向に折り畳むことが出来るので、濡れた面を内部に収納することが出来る。
【０００９】
本発明の好ましい形態では、前記メインシャフトには、メインシャフトの軸方向に摺動可能なスライドシャフトが設けられ、前記第１ロクロは前記スライドシャフトに固定され、前記第２ロクロは前記スライドシャフトに沿って摺動可能に設けられていることを特徴とする。このように、メインシャフトの軸方向に摺動可能なスライドシャフトを設けることで、傘本体をグリップ側に引き寄せることが出来、親骨を長く設計した場合であっても全長を一定の長さに保持することが出来る。
【００１０】
本発明の好ましい形態では、前記スライドシャフトに、前記メインシャフトに対する位置決め手段が、スライドシャフトの軸方向に間隔を置いて複数設けられていることを特徴とする。これにより、親骨の長さに応じて自由にスライドシャフトの固定位置を設定することが出来る。
【００１１】
本発明の好ましい形態では、前記位置決め手段は、前記メインシャフトに設けられたおねじと、前記スライドシャフトに設けられためねじとを有していることを特徴とする。これにより、メインシャフトとスライドシャフトを強固に固定することが出来る。
【００１２】
本発明の好ましい形態では、前記メインシャフトと前記スライドシャフトとが、メインシャフトの軸回りに相対回転可能に構成されていることを特徴とする。こうすることで、前記位置決め手段により、両手を用いて簡易にスライドシャフトを固定できる。
【００１３】
本発明の好ましい形態では、前記傘布の内面にベルトが取り付けられていることを特徴とする。このように、前記傘布の内面にベルトを取り付けることにより、折り畳んだ際に、ベルトが外側に露出することになり、傘本体を容易に巻き付けて留めることが出来、細身の状態で手軽に持ち運びが可能となる。
【発明の効果】
【００１４】
本発明の折り畳み式長傘によれば、濡れた面を内部に収納できる長傘であって、親骨を長く設計した場合であっても全長が一定の長さに保持され、外径を大きくせず細身のまま手軽に持ち運べる折り畳み式長傘を提供することが出来る。
【図面の簡単な説明】
【００１５】
【図１】本発明の実施形態に係る折り畳み式長傘を示すもので、（ａ）は開いた状態の断面図であり、（ｂ）は親骨に設けられたヒンジの拡大図である。
【図２】本発明の実施形態に係る折り畳み式長傘の第２ロクロを持ち手側に摺動させることにより親骨を折り畳んで閉じた状態を示す断面図である。
【図３】本発明の実施形態に係る折り畳み式長傘のスライドシャフトをグリップ側に摺動させることにより、傘本体をグリップ側に収納した状態を示す断面図である。
【図４】本発明の実施形態に係る折り畳み式長傘の傘本体を、ベルトを用いて留めた状態を示す断面図である。
【発明を実施するための形態】
【００１６】
以下、本発明の実施形態について、図１〜図４を参照して詳細に説明する。図１(a)に、本発明の実施形態に係る折り畳み式長傘の開いた状態を示し、図２に、本発明の実施形態に係る折り畳み式長傘の傘本体が閉じた状態を示している。
【００１７】
本実施形態に係る折り畳み式長傘は、傘本体１と、その傘本体１を支持するメインシャフト２を備えている。メインシャフト２は、先端に設けられた石突１５と、基端に設けられたグリップ１６とを有している。
【００１８】
傘本体１は、傘布３と、その傘布３の内面を支持する複数の親骨４と、親骨４の一端部がヒンジ結合される第１ロクロ６（石突側）と、親骨４に連結された受骨８の一端部がヒンジ結合される第２ロクロ７（グリップ側）とを有している。第２ロクロ７は、メインシャフト２の軸方向に摺動可能であり、各親骨４は、傘布３の外面が重なる方向に、ヒンジ９を介して２つ折りに構成されている。
【００１９】
第１ロクロ６および第２ロクロ７は、メインシャフト２に対して直接設けることもできる。図示例では、メインシャフト２に対して、そのメインシャフト２の軸方向に摺動可能なスライドシャフト５が設けられ、このスライドシャフト５に、第１ロクロ６および第２ロクロ７が設けられている。第１ロクロ６はスライドシャフト５に固定され、第２ロクロ７はスライドシャフト５に沿って摺動可能に設けられている。これにより、第２ロクロ７は第１ロクロ６に対して接近又は離間可能に構成されている。さらに、傘本体１はメインシャフト２に沿って摺動可能に構成されている。
【００２０】
スライドシャフト５には、その軸方向に間隔をおいて、第１はじき１０と第２はじき１１が設けられている。親骨４には、その親骨４の長手方向の中間部分よりも内側（メインシャフト側）の位置に前記ヒンジ９が設けられている。親骨４は、このヒンジ９によって、内側の親骨４aと、外側の親骨４ｂに分けられる。
【００２１】
また、スライドシャフト５には、メインシャフト２に対する位置決め手段Ｓが、スライドシャフト５の軸方向に間隔を置いて複数設けられている。これにより、親骨４の長さに応じて自由にスライドシャフト５のスライド位置を設定することができる。
【００２２】
位置決め手段Ｓの好ましい形態として、図２に示す例では、メインシャフト２に設けられたおねじと、スライドシャフト５に設けられためねじとを有する構成としている。これにより、メインシャフト２とスライドシャフト５を強固に固定することができる。
【００２３】
なお、メインシャフト２とスライドシャフト５は、メインシャフト２の軸回りに相対回転可能に構成されている。この構成により、おねじとめねじを有する位置決め手段Ｓにより、両手を用いて簡易にスライドシャフト５を固定することができる。
【００２４】
本実施形態によれば、第１はじき１０により掛止されている第２ロクロ７を、グリップ側に摺動させ、第２はじき１１に掛止させることにより、親骨４に設けられたヒンジ９を介して、傘布３の外面が重なる方向に折り畳んで閉じることが出来、濡れた面を内部に収納することが出来る。
【００２５】
図３は、本発明の実施形態に係る折り畳み式長傘の傘本体１をグリップ側に収納した状態を示す断面図である。メインシャフト２に設けられた第１おねじ１２により螺嵌されているスライドシャフト５を回転させ、第１おねじ１２から外し、グリップ側に摺動させ、第２おねじ１３に螺嵌させることにより、傘本体１をグリップ側に収納することが出来る。これにより、親骨４を長く設計した場合であっても全長を一定の長さに保持することが出来、肩や荷物等が濡れにくい大きな傘部を設計することが可能となる。また、これにより杖として使用することも可能となる。
【００２６】
図４は、本発明の実施形態に係る折り畳み式長傘の傘本体１を、ベルト１４を用いて留めた状態を示す断面図である。傘布３の内面に取り付けられたベルト１４を傘本体１に巻きつけ留めることにより、屋内において簡易に細身の状態で持ち運びが可能となる。
【００２７】
なお、実施形態では、スライドシャフト５のメインシャフト２に対する位置決め手段をねじによるものとしたが、はじき等、簡易に且つ迅速に係合可能な位置決め手段を採用しても良い。また、親骨４ｂの先端が石突の先端を越えない範囲であれば、第１おねじ１２の位置を適宜変更しても良い。
【符号の説明】
【００２８】
１    傘本体
２    メインシャフト
３    傘布
４    親骨
４ａ   親骨（内側）
４ｂ   親骨（外側）
５    スライドシャフト
６    第１ロクロ
７    第２ロクロ
８    受骨
９    ヒンジ
１０  第１はじき
１１  第２はじき
１２  第１おねじ
１３  第２おねじ
１４  ベルト
１５  石突
１６  グリップ
【図１】
2017217162.tif 000003
【図２】
2017217162.tif 000004
【図３】
2017217162.tif 000005
【図４】
2017217162.tif 000006
【手続補正書】
【提出日】平成28年6月14日(2016.6.14)
【手続補正１】
【補正対象書類名】図面
【補正対象項目名】図１
【補正方法】変更
【補正の内容】
【図１】
2017217162.tif 000007
【手続補正２】
【補正対象書類名】図面
【補正対象項目名】図２
【補正方法】変更
【補正の内容】
【図２】
2017217162.tif 000008
【手続補正３】
【補正対象書類名】図面
【補正対象項目名】図３
【補正方法】変更
【補正の内容】
【図３】
2017217162.tif 000009
【手続補正４】
【補正対象書類名】図面
【補正対象項目名】図４
【補正方法】変更
【補正の内容】
【図４】
2017217162.tif 000010
【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
傘本体と、その傘本体を支持するメインシャフトとを備え、
前記傘本体は、傘布と、その傘布の内面を支持する複数の親骨と、親骨の一端部がヒンジ結合される第１ロクロと、前記親骨に連結された受骨の一端部がヒンジ結合される第２ロクロとを有し、
前記メインシャフトは、一端に石突、他端にグリップを有し、
前記第２ロクロは前記メインシャフトの軸方向に摺動可能であり、
前記各親骨は、親骨（内側）と親骨（外側）とがヒンジにより連結されてなり、前記傘布の外面が重なる方向に、前記ヒンジを介して２つ折りに構成され、
前記各受骨は、前記親骨（内側）に連結され、
前記メインシャフトには、前記メインシャフトの軸方向に摺動可能なスライドシャフトが設けられ、前記第１ロクロは前記スライドシャフトに固定され、前記第２ロクロは前記スライドシャフトに沿って摺動可能に設けられ、
前記親骨（外側）の長さが、前記スライドシャフトの前記グリップ側端部から前記石突の先端までの長さ以下であることを特徴とする折り畳み式長傘。
【請求項２】
前記スライドシャフトに、前記メインシャフトに対する位置決め手段が、スライドシャフトの軸方向に間隔を置いて複数設けられていることを特徴とする、請求項１に記載の折り畳み式長傘。
【請求項３】
前記位置決め手段は、前記メインシャフトに設けられたおねじと、前記スライドシャフトに設けられためねじとを有していることを特徴とする、請求項２に記載の折り畳み式長傘。
【請求項４】
前記メインシャフトと前記スライドシャフトとが、メインシャフトの軸回りに相対回転可能に構成されていることを特徴とする、請求項１〜３に記載の折り畳み式長傘。
【請求項５】
前記傘布の内面にベルトが取り付けられていることを特徴とする、請求項１に記載の折り畳み式長傘。